【手続補正書】
【提出日】平成23年3月4日(2011.3.4)
【手続補正１】
【補正対象書類名】特許請求の範囲
【補正対象項目名】全文
【補正方法】変更
【補正の内容】
【特許請求の範囲】
【請求項１】
被写体に光を照射する照射手段と、
前記被写体を撮影する撮像手段と、
前記照射手段によって光を照射して被写体を撮影する第１の撮影画像と、前記第１の撮影画像を撮影する場合とは異なる角度から前記照射手段によって光を照射して前記被写体を撮影する第２の撮影画像とを前記撮像手段から取得する制御手段と、
前記第１の撮影画像の輝度信号、及び前記第２の撮影画像の色差信号からなる画像データを生成する生成手段とを有することを特徴とする撮像システム。
【請求項２】
前記第１の撮影画像を色相、彩度又は輝度のうち少なくともいずれか１つの条件に従って第１の領域と第２の領域とに分離する分離手段を有し、
前記生成手段は、前記第１の領域について前記画像データを生成することを特徴とする請求項１に記載の撮像システム。
【請求項３】
前記分離手段は、前記第１の撮影画像及び前記第２の撮影画像内の、所定の色相、再度、及び輝度の条件に当てはまる画像領域を前記第１の領域とすることを特徴とする請求項２に記載の撮像システム。
【請求項４】
前記分離手段によって分離された前記第２の撮影画像の前記第２の領域の画像データと、前記生成手段によって生成された前記第１の領域に対応する画像データとを合成して１枚の合成画像データを生成する合成手段を有することを特徴とする請求項２又は３に記載の撮像システム。
【請求項５】
前記第１の領域は、前記第１の撮影画像及び前記第２の撮影画像内の領域のうち所定の反射率よりも高い反射率を有する領域であることを特徴とする請求項２乃至４のいずれか１項に記載の撮像システム。
【請求項６】
前記第１の撮影画像は、前記照射手段によって、前記撮像手段から見て前記被写体に対して正面から光を照射して撮影される画像であり、前記第２の撮影画像は、前記被写体に対して斜め方向から光を照射して撮影される画像であることを特徴とする請求項１乃至５のいずれか１項に記載の撮像システム。
【請求項７】
被写体に光を照射する照射手段と、
前記被写体を撮影する撮像手段と、
前記照射手段によって、前記撮像手段から見て前記被写体に対して正面から光を照射して被写体を撮影する第１の撮影画像と、前記撮像手段から見て前記被写体に対して斜めから光を照射して前記被写体を撮影する撮影画像とを前記撮像手段から取得する制御手段と、
前記制御手段によって取得される複数の撮影画像の画像データから、輝度信号として前記第１の撮影画像の輝度信号、色差信号として前記複数の撮影画像の色差信号に基づく色差信号を用いる画像データを生成することを特徴とする撮像システム。
【請求項８】
被写体に光を照射する照射手段と、前記被写体を撮影する撮像手段とを用いた撮影方法であって、
前記照射手段によって被写体に光を照射して、前記撮像手段によって第１の撮影画像を撮影する第１の撮影手順と、
前記照射手段によって前記第１の撮影画像を撮影する場合とは異なる角度から前記被写体に光を照射して第２の撮影画像を撮影する第２の撮影手順と、
前記第１の撮影画像の輝度信号、及び前記第２の撮影画像の色差信号からなる画像データを生成する生成手順とを有することを特徴とする撮影方法。
【請求項９】
被写体に光を照射する照射手段と、前記被写体を撮影する撮像手段とを用いた撮影方法であって、
前記照射手段によって前記被写体に、前記撮像手段から見て正面に光を照射して、前記撮像手段によって第１の撮影画像を撮影する第１の撮影手順と、
前記照射手段によって前記被写体に、前記撮像手段から見て斜めに光を照射して、前記撮像手段によって撮影画像を撮影する第２の撮影手順と、
前記撮像手段によって取得される複数の撮影画像の画像データから、輝度信号として前記第１の撮影画像の輝度信号、色差信号として前記複数の撮影画像の色差信号に基づく色差信号を用いる画像データを生成することを特徴とする撮影方法。
【請求項１０】
請求項８又は９に記載の撮影方法の手順をコンピュータに実行させるためのプログラム。
【請求項１１】
請求項８又は９に記載の撮影方法の手順をコンピュータに実行させるためのプログラムが記憶されたコンピュータ読み取り可能な記憶媒体。
【手続補正２】
【補正対象書類名】明細書
【補正対象項目名】発明の名称
【補正方法】変更
【補正の内容】
【発明の名称】撮像システム、撮影方法、プログラム及びコンピュータ読み取り可能な記憶媒体
【手続補正３】
【補正対象書類名】明細書
【補正対象項目名】０００１
【補正方法】変更
【補正の内容】
【０００１】
本発明は、金属光沢を一部に持つ被写体を撮影するのに好適な撮像システム、撮影方法、プログラム及びコンピュータ読み取り可能な記憶媒体に関する。
【手続補正４】
【補正対象書類名】明細書
【補正対象項目名】０００８
【補正方法】変更
【補正の内容】
【０００８】
本発明の撮像システムは、被写体に光を照射する照射手段と、前記被写体を撮影する撮像手段と、前記照射手段によって光を照射して被写体を撮影する第１の撮影画像と、前記第１の撮影画像を撮影する場合とは異なる角度から前記照射手段によって光を照射して前記被写体を撮影する第２の撮影画像とを前記撮像手段から取得する制御手段と、前記第１の撮影画像の輝度信号、及び前記第２の撮影画像の色差信号からなる画像データを生成する生成手段とを有することを特徴とする。
本発明の別の撮像システムは、被写体に光を照射する照射手段と、前記被写体を撮影する撮像手段と、前記照射手段によって、前記撮像手段から見て前記被写体に対して正面から光を照射して被写体を撮影する第１の撮影画像と、前記撮像手段から見て前記被写体に対して斜めから光を照射して前記被写体を撮影する撮影画像とを前記撮像手段から取得する制御手段と、前記制御手段によって取得される複数の撮影画像の画像データから、輝度信号として前記第１の撮影画像の輝度信号、色差信号として前記複数の撮影画像の色差信号に基づく色差信号を用いる画像データを生成することを特徴とする。
本発明の撮影方法は、被写体に光を照射する照射手段と、前記被写体を撮影する撮像手段とを用いた撮影方法であって、前記照射手段によって被写体に光を照射して、前記撮像手段によって第１の撮影画像を撮影する第１の撮影手順と、前記照射手段によって前記第１の撮影画像を撮影する場合とは異なる角度から前記被写体に光を照射して第２の撮影画像を撮影する第２の撮影手順と、前記第１の撮影画像の輝度信号、及び前記第２の撮影画像の色差信号からなる画像データを生成する生成手順とを有することを特徴とする。
本発明の別の撮影方法は、被写体に光を照射する照射手段と、前記被写体を撮影する撮像手段とを用いた撮影方法であって、前記照射手段によって前記被写体に、前記撮像手段から見て正面に光を照射して、前記撮像手段によって第１の撮影画像を撮影する第１の撮影手順と、前記照射手段によって前記被写体に、前記撮像手段から見て斜めに光を照射して、前記撮像手段によって撮影画像を撮影する第２の撮影手順と、前記制御手段によって取得される複数の撮影画像の画像データから、輝度信号として前記第１の撮影画像の輝度信号、色差信号として前記複数の撮影画像の色差信号に基づく色差信号を用いる画像データを生成することを特徴とする。
本発明のプログラムは、本発明の撮影方法の手順をコンピュータに実行させる。
本発明のコンピュータ読み取り可能な記憶媒体は、本発明の撮影方法の手順をコンピュータに実行させるためのプログラムが記憶されている。